(57)【要約】【課題】簡単かつ確実に携帯型理美容装置の誤動作を防止する。【解決手段】把持部１０１と、動作部１０２とを備える携帯型理美容装置１００であって、動作部１０２の処理動作を変更する操作スイッチ１０３と、把持部１０１が把持されたか否かにより静電容量が変化するセンサ電極１０４と、操作スイッチ１０３、および、センサ電極１０４に電気的に接続され、動作部１０２の処理動作を制御する制御装置１０５とを備え、制御装置１０５は、センサ電極１０４の静電容量の変化によって把持されたことを検出する把持検出部１５１と、把持検出部１５１から把持されたことを示す把持情報を取得した場合に操作スイッチ１０３による処理動作の変更を許可する変更許可部１５２とを備える。【選択図】図４
2018138135.tif 000002
【特許請求の範囲】
【請求項１】
手により持たれる把持部と、人体に対し処理を行う動作部とを備える携帯型理美容装置であって、
前記動作部の処理動作を変更する操作スイッチと、
前記把持部に内蔵され、前記把持部が把持されたか否かにより静電容量が変化するセンサ電極と、
前記操作スイッチ、および、前記センサ電極に電気的に接続され、前記動作部の処理動作を制御する制御装置とを備え、
前記制御装置は、
前記センサ電極の静電容量の変化によって前記把持部が把持されたことを検出する把持検出部と、
前記把持検出部から前記把持部が把持されたことを示す把持情報を取得した場合に前記操作スイッチによる前記動作部の処理動作の変更を許可する変更許可部とを備える
携帯型理美容装置。
【請求項２】
前記変更許可部は、
前記把持情報の取得から第一所定時間の間、前記操作スイッチによる前記動作部の処理動作の変更を許可する
る請求項１に記載の携帯型理美容装置。
【請求項３】
前記変更許可部は、
前記動作部の動作の停止から第二所定時間の間、前記操作スイッチによる前記動作部の処理動作の変更を許可する
請求項１または２に記載の携帯型理美容装置。
【請求項４】
前記変更許可部は、
前記操作スイッチが第三所定時間の間操作され続けた場合、前記操作スイッチによる前記動作部の処理動作の変更を許可する
請求項１から３のいずれかに記載の携帯型理美容装置。
【請求項５】
前記操作スイッチは、前記把持部の第一面に設けられ、
前記センサ電極は、板状の第一電極と第二電極とを備え、
前記第一電極と前記第二電極とは前記第一面に交差状態で配置され、かつ、前記操作スイッチを挟む位置に配置される
請求項１から４のいずれかに記載の携帯型理美容装置。
【請求項６】
前記把持部の内方に防水筐体をさらに備え、
前記センサ電極は前記防水筐体の内方に収容される
請求項１から５のいずれかに記載の携帯型理美容装置。
【発明の詳細な説明】
【技術分野】
【０００１】
本発明は、電気かみそり、バリカン、美顔器、ドライヤーなど人の手に把持された状態で体毛や肌などに対して処理を行う携帯型理美容装置に関する。
【背景技術】
【０００２】
電気かみそりなどの携帯型理美容装置を鞄に入れて携行する場合、鞄の中で操作スイッチが不本意に押され、携帯型理美容装置が勝手に動作する恐れがある。このため、操作スイッチが不本意に押されないようにする工夫が必要となる。
【０００３】
不本意に携帯型理美容装置が動作してしまう誤動作を防止するために、操作スイッチにロック機構などの構造的な対応を施すことが考えられる。例えば、特許文献１に記載の携帯型理美容装置では、弾性力の異なる２種類のバネで操作スイッチを支えることにより操作スイッチの誤操作を防止している。
【０００４】
また、特許文献２に記載の携帯型理美容装置では、操作スイッチを押している時間によってモードを切り替え、長く押した場合に操作スイッチのロックがかかる技術が記載されている。
【先行技術文献】
【特許文献】
【０００５】
【特許文献１】特開２００５−３１２５３０号公報
【特許文献２】特開２０１６−２０２２３５号公報
【発明の概要】
【発明が解決しようとする課題】
【０００６】
ところが、操作スイッチにロック機構を設けた場合、ロック操作や解除操作を使用者が行わなければならず、操作が煩雑になり、また、ロック操作を忘れてしまうという課題がある。また操作スイッチを押し続ける時間でモードを変更する場合、不本意な状態で操作スイッチが押し続けられる事によりロックが解除される恐れが残存する。
【０００７】
本発明は上記課題に鑑みなされたものであり、操作が煩雑になること無く誤動作を防止できる携帯型理美容装置を提供する。
【課題を解決するための手段】
【０００８】
本願発明の１つである携帯型理美容装置は、手により持たれる把持部と、人体に対し処理を行う動作部とを備える携帯型理美容装置であって、前記動作部の処理動作を変更する操作スイッチと、前記把持部に内蔵され、前記把持部が把持されたか否かにより静電容量が変化するセンサ電極と、前記操作スイッチ、および、前記センサ電極に電気的に接続され、前記動作部の処理動作を制御する制御装置とを備え、前記制御装置は、前記センサ電極の静電容量の変化によって前記把持部が把持されたことを検出する把持検出部と、前記把持検出部から前記把持部が把持されたことを示す把持情報を取得した場合に前記操作スイッチによる前記動作部の処理動作の変更を許可する変更許可部とを備える。
【発明の効果】
【０００９】
本発明にかかる携帯型理美容装置によれば、操作が煩雑になること無く操作スイッチの誤操作を防止でき、また、忘れることなく操作スイッチをロックすることができる。
【図面の簡単な説明】
【００１０】
【図１】図１は、実施の形態１における携帯型理美容装置の正面図である。
【図２】図２は、実施の形態１における携帯型理美容装置の側面図である。
【図３】図３は、実施の形態１における図１に示すＩ−Ｉ線における断面図である。
【図４】図４は、実施の形態１における制御装置の機能部を機構部と共に示すブロック図である。
【図５】図５は、実施の形態１におけるセンサ電極の静電容量の違いによる充放電回数の相違を示す図である。
【図６】図６は、実施の形態１における把持検出部および変更許可部を含む制御装置の処理の流れを示すフローチャートである。
【図７】図７は、実施の形態２における把持検出部および変更許可部を含む制御装置の処理の流れを示すフローチャートである。
【図８】図８は、実施の形態３における把持検出部および変更許可部を含む制御装置の処理の流れを示すフローチャートである。
【図９】図９は、実施の形態４における把持検出部および変更許可部を含む制御装置の処理の流れを示すフローチャートである。
【発明を実施するための形態】
【００１１】
（携帯型理美容装置が取りうる形態の一例）
本発明の１つである携帯型理美容装置は、手により持たれる把持部と、人体に対し処理を行う動作部とを備える携帯型理美容装置であって、前記動作部の処理動作を変更する操作スイッチと、前記把持部に内蔵され、前記把持部が把持されたか否かにより静電容量が変化するセンサ電極と、前記操作スイッチ、および、前記センサ電極に電気的に接続され、前記動作部の処理動作を制御する制御装置とを備え、前記制御装置は、前記センサ電極の静電容量の変化によって前記把持部が把持されたことを検出する把持検出部と、前記把持検出部から前記把持部が把持されたことを示す把持情報を取得した場合に前記操作スイッチによる前記動作部の処理動作の変更を許可する変更許可部とを備える。
【００１２】
これにより、携帯型理美容装置を鞄に入れて持ち運ぶ時に異物が操作スイッチに触れ、不本意に処理動作が開始してしまうなどの携帯型理美容装置の誤動作を防止できる。また、機械的に操作スイッチをロックし、また、ロックを解除する機構の様に、使用者が操作スイッチのロック操作する必要が無いため、ロックのための操作が煩雑にならず、また、操作スイッチのロックを忘れることもない。
【００１３】
ここで、「ロック」とは、操作スイッチによる動作部の処理動作の変更を許可しない場合を意味するものとして記載しており、操作スイッチが機械的に動かないことのみを意味するものとしては用いていない。また「ロックの解除」とは、ロックとは逆の状態であり、操作スイッチによる動作部の処理動作の変更を許可する場合を意味するものとして記載している。
【００１４】
また、前記変更許可部は、前記把持情報の取得から第一所定時間の間、前記操作スイッチによる前記動作部の処理動作の変更を許可するものでもよい。
【００１５】
これによれば、携帯型理美容装置に水などがかかることで、静電容量が変化して一時的に操作スイッチのロックが解除した場合でも、第一所定時間後に再度ロックがかかるため、洗面所や浴室など水がかかる場所に置いている場合でも確実に操作スイッチをロックすることが可能になる。従って、誤動作の発生が抑制される。
【００１６】
また、前記変更許可部は、前記動作部の動作の停止から第二所定時間の間、前記操作スイッチによる前記動作部の処理動作の変更を許可してもよい。
【００１７】
これによれば、髭剃りなどの人体への処理の後に処理状態を確認するため携帯型理美容装置の処理動作をしばらくの間停止させた後、再度処理動作を開始する時に、把持部を持ち直して操作スイッチのロック解除をする必要がなく、利便性が向上する。
【００１８】
また、前記変更許可部は、前記操作スイッチが第三所定時間押し続けられるなど、操作され続けた場合、前記操作スイッチによる前記動作部の処理動作の変更を許可してもよい。
【００１９】
これによれば、把持検出部などに異常が生じ、操作スイッチのロック解除ができなくなった場合でも、強制的に操作スイッチのロックを解除可能とする事で理美容装置の処理動作の変更を行う事が可能になる。
【００２０】
また、前記操作スイッチは、前記把持部の第一面に設けられ、前記センサ電極は、板状の第一電極と第二電極とを備え、前記第一電極と前記第二電極とは前記第一面に交差状態で配置され、かつ、前記操作スイッチを挟む位置に配置されるものでもよい。
【００２１】
これによれば、把持部を把持しながら操作スイッチを操作する際に強く把持される部分の近傍に第一電極と第二電極とが配置されているため、センサ電極における静電容量の変化を把持検出部が検出することができる。従って、把持しているか否かの閾値を高く設定することも可能となり、把持以外でセンサ電極の静電容量に変化が発生した場合を除外して把持検出部の誤検出を抑制することが可能となる。
【００２２】
また、前記把持部の内方に防水筐体をさらに備え、前記センサ電極は前記防水筐体の内方に収容されるものでもよい。
【００２３】
これによれば、水などがセンサ電極に直接接触することを防止でき、センサ電極を錆や汚れから保護し、静電容量の変化を安定して検出できるようになる。
【００２４】
（実施の形態１）
次に、本願発明に係る携帯型理美容装置の実施の形態について、図面を参照しつつ説明する。なお、以下の実施の形態は、本願発明に係る携帯型理美容装置の一例を示したものに過ぎない。従って本願発明は、以下の実施の形態を参考に請求の範囲の文言によって範囲が画定されるものであり、以下の実施の形態のみに限定されるものではない。よって、以下の実施の形態における構成要素のうち、本発明の最上位概念を示す独立請求項に記載されていない構成要素については、本発明の課題を達成するのに必ずしも必要ではないが、より好ましい形態を構成するものとして説明される。
【００２５】
また、図面は、本願発明を示すために適宜強調や省略、比率の調整を行った模式的な図となっており、実際の形状や位置関係、比率とは異なる場合がある。
【００２６】
図１は、携帯型理美容装置の正面図である。
【００２７】
図２は、携帯型理美容装置の側面図である。
【００２８】
図３は、図１に示すＩ−Ｉ線における断面図である。
【００２９】
これらの図に示すように、本実施の形態にかかる携帯型理美容装置１００は、髭などの体毛を処理する電気かみそりであって、人の手により持たれる把持部１０１と、人体に含まれる髭に対し髭を剃るという処理動作を行う動作部１０２とを備えている。また、携帯型理美容装置１００は、操作スイッチ１０３と、センサ電極１０４と、制御装置１０５とを備えている。本実施の形態の場合、携帯型理美容装置１００はさらに、表示装置１０６と電源１０７とを備えている。
【００３０】
把持部１０１は、携帯型理美容装置１００を人体に対して使用する際に把持する部分であり、方手で持ちやすい外観形状となっている。また、把持部１０１は内部に空間を備え、制御装置１０５、乾電池、二次電池、または、ＡＣ−ＤＣ変換器などの電源１０７を収容することができるものとなっている。
【００３１】
本実施の形態の場合、把持部１０１の内方には、制御装置１０５や電源１０７を収容する防水区画を形成するための防水筐体１１１が設けられている。これにより、把持部１０１の外方から水などがかかった場合でも、制御装置１０５や電源１０７に水が付着することを防止することができ、例えば風呂場でも携帯型理美容装置１００を使用することができる。
【００３２】
動作部１０２は、人体に対して処理動作を実施し、理容、美容の処理を施す部分である。本実施の形態の場合、携帯型理美容装置１００は電気かみそりであるため、動作部１０２には、外刃ユニット１２１と、外刃ユニット１２１の内側に配置され、外刃ユニット１２１と相対的に移動することにより外刃ユニット１２１から挿入される体毛を切断する内刃ユニット（図示せず）が設けられている。また動作部１０２は、把持部１０１に対して回動（首振り）可能に取り付けられている。
【００３３】
なお、動作部１０２は、刃などが機械的に動作するものばかりで無く、人体に所定の電圧を印加するなど電気的に動作するものや、人体に磁力を及ぼすような磁気的に動作するものなども含まれる。
【００３４】
操作スイッチ１０３は、動作部１０２の処理動作を変更する電気部品である。本実施の形態の場合、操作スイッチ１０３は、押しボタンスイッチであり、操作スイッチ１０３を押下している間は接点が接触するものとなっている。
【００３５】
なお、操作スイッチ１０３は、特に限定されるものでは無く、押しボタンスイッチのほかスライドスイッチなど任意の機械式スイッチを採用することが可能であり、また、タッチセンサなどによって操作スイッチ１０３を電気的に実現してもかまわない。
【００３６】
センサ電極１０４は、把持部１０１に内蔵され、把持部１０１が人の手によって把持されたか否かにより静電容量が変化する電気部品である。本実施の形態の場合、センサ電極１０４は、操作スイッチ１０３が取り付けられている把持部１０１の第一面１１２に対し、交差状態で配置された板状の金属部材である第一電極１４１と第二電極１４２とを備えている。
【００３７】
第一電極１４１と第二電極１４２とは、操作スイッチ１０３を挟む位置に対向状態で配置されており、把持部１０１の側壁に配置されている。また、センサ電極１０４が備える第一電極１４１と第二電極１４２とは、防水筐体１１１の内方に収容されており、防水筐体１１１の内面に接触、または、近接状態で配置されている。また、第一電極１４１と第二電極１４２とは、把持部１０１の長手方向に操作スイッチ１０３から動作部１０２の反対側に向かって延在している。
【００３８】
センサ電極１０４がこのような第一電極１４１と第二電極１４２とを備えることにより、防水筐体１１１の内方に配置されていても把持部１０１の外側を把持する人の手により静電容量を敏感に変化させることができる。また、操作スイッチ１０３を親指で操作するために把持部１０１を把持する場合や、一方の手の人差し指などで操作スイッチ１０３を操作するために他方の手で把持部１０１を把持する場合などに手指の腹や手のひらが最も近づきやすく、かつ、手指の腹や手のひらの広い面積が近づくため、センサ電極１０４の静電容量を大きく変化させることが可能となる。また、センサ電極１０４が防水区画内に配置されているため、センサ電極１０４が水に接触して錆や汚れが発生することを防止できる。
【００３９】
制御装置１０５は、操作スイッチ１０３、および、センサ電極１０４に電気的に接続され、動作部１０２を制御する処理装置である。制御装置１０５は、いわゆるマイクロコンピュータ、各種インターフェース、各種ドライバなどを備えており、ハードウエアやハードウエアとソフトウエアによりインプットされた情報（信号）を処理して所望の情報（信号）をアウトプットすることができる装置である。
【００４０】
図４は、制御装置の機能部を機構部と共に示すブロック図である。
【００４１】
同図に示すように、制御装置１０５は、把持検出部１５１と、変更許可部１５２とを備えている。また、本実施の形態の場合、制御装置１０５は、捜査班底部１５６と、スイッチ処理部１５７と、処理制御部１５８と、報知部１５９とを備えている。
【００４２】
把持検出部１５１は、センサ電極１０４の静電容量の変化によって把持部１０１が人によって把持されたことを検出する処理部である。本実施の形態の場合、把持検出部１５１は、充放電回路１５３、充放電回数検出回路１５４、判定回路１５５など半導体素子からなる回路により形成されたチップ部品で構成されている。
【００４３】
把持検出部１５１の検出原理の一例は次の通りである。センサ電極１０４の静電容量（図４中、破線のコンデンサで示す）、つまりセンサ電極１０４に蓄積できる電荷量は、人が把持部１０１を把持している時と把持していない時とで変化する。具体的には、把持部１０１を把持している時は静電容量が大きくなり、把持部１０１を把持していない時は把持しているときに比べ相対的に静電容量が小さくなる。したがって、センサ電極１０４の静電容量の相対的な変化を検出することによって、人体が把持部１０１を把持しているか否かを判断する事ができる。
【００４４】
本実施の形態の場合、センサ電極１０４の静電容量の相対的な変化を第四所定時間における充放電回数により検出している。
【００４５】
図５は、センサ電極の静電容量の違いによる充放電回数の相違を示す図である。
【００４６】
同図に示すように、把持部１０１が把持されておらず、センサ電極１０４の静電容量が小さい場合（図中「非把持」）、充放電回路１５３がセンサ電極１０４に所定の電荷量を充電し放電するまで時間がｔ１となる。一方、把持部１０１が把持されたことによりセンサ電極１０４の静電容量が相対的に大きくなった場合（図中「把持」）、充放電回路１５３がセンサ電極１０４に同一量の電荷を充電し放電するまでの時間がｔ２（ｔ２＞ｔ１）となる。したがって、第四所定時間内に何回充放電ができたかを計測することで、静電容量が大きくなったか、小さくなったかを判断する事ができる。
【００４７】
具体的には、充放電回数検出回路１５４が第四所定時間内における充放電の回数を計数し、判定回路１５５は、充放電回数検出回路１５４から取得した充放電の回数が直前の状態と比較して、その変化量が閾値を超えている場合、把持部１０１が把持されていることを示す把持情報を出力する。
【００４８】
変更許可部１５２は、把持検出部１５１から把持部１０１が把持されたことを示す把持情報を取得した場合に操作スイッチ１０３による動作部１０２の処理動作の変更を許可する処理部である。本実施の形態の場合、変更許可部１５２は、制御装置１０５が備える演算装置（例えばＣＰＵ）にプログラムを実行させることにより実現される処理部である。
【００４９】
本実施の形態の場合、変更許可部１５２は、把持検出部１５１からの把持情報に基づきスイッチ処理部１５７に対し変更を許可する旨や変更を許可しない旨を示す変更情報を出力する。
【００５０】
次に、携帯型理美容装置１００の処理の流れを説明する。
【００５１】
図６は、把持検出部および変更許可部を含む制御装置の処理の流れを示すフローチャートである。
【００５２】
同図に示すように、把持部１０１を把持せず携帯型理美容装置１００に何も処理をさせていない放置状態では操作スイッチ１０３にロックがかかった状態となっている。この段階では把持検出部１５１および変更許可部１５２は待機状態（Ｓ１０１）となっている。
【００５３】
この状態で、使用者が携帯型理美容装置１００の把持部１０１を把持すると、把持検出部１５１が把持されたことを示す把持情報を出力し（Ｓ１０２：Ｙｅｓ）、当該把持情報を取得した変更許可部１５２は、スイッチ処理部１５７に対し、操作判定部１５６から出力される信号を受け付けることを許可する変更情報を出力する。ここで、操作判定部１５６は、操作スイッチ１０３が操作された状態に対応した信号を出力する処理部である。また、スイッチ処理部１５７は、変更情報や操作判定部１５６が出力した信号などに基づき次に実行する処理動作を決定する、つまり処理動作の変更を決定する処理部である。以上により、変更情報を取得したスイッチ処理部１５７は、操作スイッチ１０３による操作判定部１５６からの信号を受け付けて処理動作の変更を決定することができる状態、つまり、操作スイッチ１０３のロックが解除される（Ｓ１０３）。
【００５４】
操作スイッチ１０３のロックが解除された状態で操作スイッチ１０３の操作を行うと（Ｓ１０４：Ｙｅｓ）、スイッチ処理部１５７が操作判定部１５６からの信号に基づき、停止状態の動作部１０２が処理動作を実行できるように処理制御部１５８に信号を出力する。処理制御部１５８は、当該信号に基づき動作部１０２を稼働させる（Ｓ１０５）。
【００５５】
動作部１０２の処理動作中に操作スイッチ１０３が操作されると（Ｓ１０６：Ｙｅｓ）、スイッチ処理部１５７を介して処理制御部１５８が動作部１０２を動作状態から停止状態に処理動作を変更する（Ｓ１０７）。
【００５６】
動作部１０２の処理動作が停止した後は、操作スイッチ１０３はロック状態になり（Ｓ１０８）、再び把持部を握られた事を検知するまで操作スイッチ１０３はロック状態を維持する。
【００５７】
この実施の形態により、操作スイッチ１０３の操作が可能になるのは使用者が把持部１０１を握った時のみになるため、携帯型理美容装置１００を鞄などに入れて持ち運ぶ際など、鞄などに入っている他の物によって操作スイッチ１０３が押された場合でも携帯型理美容装置１００の誤動作を防止する事ができる。
【００５８】
また、従来のような機構的なロック構造ではないため煩雑な操作が不要となる。
【００５９】
さらに、使用後は自動的に操作スイッチ１０３がロック状態になるため、ロック操作を忘れるといった心配もなくなる。
【００６０】
（実施の形態２）
続いて、他の実施の形態について説明する。なお、前記実施の形態１と同様の作用や機能、同様の形状や機構や構造を有するもの（部分）には同じ符号を付して説明を省略する場合がある。また、以下では実施の形態１と異なる点を中心に説明し、同じ内容については説明を省略する場合がある。
【００６１】
本実施の形態では、把持部１０１に把持されたことが検出され（Ｓ１０２：Ｙｅｓ）、操作スイッチ１０３のロックが解除（Ｓ１０３）された後、第一所定時間の間、操作スイッチ１０３の操作が無かった場合（Ｓ１０９：Ｙｅｓ）は、再び操作スイッチ１０３のロックを行う（Ｓ１１０）。
【００６２】
具体的には、変更許可部１５２が計時手段を備えており、把持情報を取得すると計時手段は計時を開始し、第一所定時間が経過するまでの間に操作判定部１５６から信号を受信しなければスイッチ処理部１５７に対して操作判定部１５６からの信号の受付を禁止させる変更情報を出力する。
【００６３】
これによれば、把持検出部１５１は、センサ電極１０４の静電容量の変化によって把持されたか否かを判断するため、例えば把持部１０１に犬・猫などの小動物が触れた場合や把持部に水がかかって濡れた場合などでもセンサ電極１０４の静電容量が増加し、把持された旨を示す把持情報を出力する。従って、変更許可部１５２は操作スイッチ１０３のロックを解除してしまう。
【００６４】
このような場合でも、第一所定時間内に操作スイッチ１０３の操作が行われなかった場合に（Ｓ１０４：Ｎｏ）、再び操作スイッチ１０３をロックさせることによって（Ｓ１１０）、意図しない操作スイッチ１０３にロック解除に対しても自動的に操作スイッチ１０３のロック状態に戻す事が可能となる。
【００６５】
なお、ロックが解除された状態において、再び把持部１０１の把持を検出した場合には、把持の検出時点から一定時間の計時をやり直しても良い。このようにすれば、例えば使用者が把持部１０１を把持した状態で操作スイッチ１０３を操作せずに携帯型理美容装置１００を持ち歩いた様な場合にでも、第一所定時間が延長されるため長時間持ち歩いたとしても再びロック状態に戻ることなく操作スイッチ１０３のロックの解除状態が維持される。
【００６６】
（実施の形態３）
続いて、他の実施の形態について説明する。なお、前記実施の形態１、２と同様の作用や機能、同様の形状や機構や構造を有するもの（部分）には同じ符号を付して説明を省略する場合がある。また、以下では実施の形態１、２と異なる点を中心に説明し、同じ内容については説明を省略する場合がある。
【００６７】
本実施の形態では、動作部１０２の処理動作が停止（Ｓ１０７）した後も第二所定時間内は操作スイッチ１０３のロックの解除状態を継続させており（Ｓ１１２：Ｎｏ）、把持部１０１を握り直すなどの積極的な動作をしなくても、操作スイッチ１０３の操作を受け付ける（Ｓ１１１：Ｙｅｓ）。
【００６８】
具体的には、変更許可部１５２が有する計時手段により、動作部１０２の処理動作が停止から第二所定期間が経過するまで計時を行い、経過すると変更許可部１５２は、操作判定部１５６からの信号の受付をスイッチ処理部１５７に許可させる変更情報を出力する。
【００６９】
これにより、例えば、実際に髭剃りなど処理動作が終わった後に処理動作を停止させて剃り残しのチェックなどをする場合でも、剃り残しがあった場合には、動作部１０２を再度簡単に動作させることができ、把持部１０１を握り直す等の動作が不要となって利便性が向上する。
【００７０】
また、動作部１０２の処理動作の停止（Ｓ１０７）後に携帯型理美容装置１００を置いた場所が洗面所などで濡れている場合であって、実施の形態２で述べたように携帯型理美容装置１００が濡れることによってロック解除状態になることもあるが、処理動作停止後第二所定時間内にスイッチ操作がなければ（Ｓ１１２：Ｙｅｓ）、強制的に操作スイッチ１０３がロック（Ｓ１０８）されるので、携帯型理美容装置１００の置き場所に関わらず確実に操作スイッチ１０３をロックする事が可能となる。
【００７１】
（実施の形態４）
続いて、他の実施の形態について説明する。なお、前記実施の形態１、２、３と同様の作用や機能、同様の形状や機構や構造を有するもの（部分）には同じ符号を付して説明を省略する場合がある。また、以下では実施の形態１、２、３と異なる点を中心に説明し、同じ内容については説明を省略する場合がある。
【００７２】
本実施の形態では、把持部１０１が把持されていないために操作スイッチ１０３のロックが解除されていない状態（Ｓ１０２：Ｎｏ）においても、操作スイッチ１０３を長押しすることによって（Ｓ１１３）、動作部１０２の処理動作を開始（Ｓ１０５）させる事ができる。
【００７３】
具体的には、操作判定部１５６が計時手段を備えており、操作スイッチ１０３が第三所定時間操作され続けた場合、例えば操作スイッチ１０３の押下が第三所定時間継続した場合、変更許可部１５２に操作判定部１５６の信号をスイッチ処理部１５７が受け付ける変更情報を出力させる。
【００７４】
これにより、例えばセンサ電極１０４と把持検出部１５１との間に接触不良などがあった場合でも、操作スイッチ１０３を長押しする事で操作スイッチ１０３のロック状態を強制的に駆動させ、動作部１０２の処理動作を変更することができる。
【００７５】
なお、本願発明は、上記実施の形態に限定されるものではない。例えば、本明細書において記載した構成要素を任意に組み合わせて、また、構成要素のいくつかを除外して実現される別の実施の形態を本願発明の実施の形態としてもよい。また、上記実施の形態に対して本願発明の主旨、すなわち、請求の範囲に記載される文言が示す意味を逸脱しない範囲で当業者が思いつく各種変形を施して得られる変形例も本願発明に含まれる。
【００７６】
例えば、操作スイッチ１０３が操作された時に、操作スイッチ１０３がロックされていることを報知する報知部１５９を備えてもよい。また、報知部１５９は、操作スイッチ１０３のロックが解除されたことを報知してもかまわない。報知方法は特に限定されるものでは無く、ブザーによる音、ＬＥＤなどにより光り、液晶ディスプレイなど表示装置１０６による表示などを例示できる。
【００７７】
また、表示装置１０６は、携帯型理美容装置１００の長手方向において操作スイッチ１０３に対して動作部１０２とは反対側に取り付けられていてもよい。また、表示装置１０６は、携帯型理美容装置１００の動作状態や電池残量等を表示してもかまわない。
【００７８】
また、上記実施の形態では、動作部１０２の処理動作の開始と停止の変更について説明したが、処理動作の変更はこれだけに限定されるものではない。例えば、処理の強度や処理モードの変更などについても同様である。
【００７９】
また、体毛を処理する動作部１０２を例示したが、動作部１０２はこれに限定されるものでは無く、水蒸気を噴射するもの、電荷を帯びたミストを発生させるもの、超音波を発信させるものなど人体に対して影響を与え、理容・美容に効果がある動作であればどのようなものでもかまわない。
【００８０】
また、防水筐体１１１と把持部１０１との間に隙間をふさぐゴム状の充填シート（図示せず）を配置してもかまわない。これにより、防水筐体１１１と把持部１０１との間に異物が溜まる事を防止でき、異物の付着がセンサ電極１０４の静電容量に影響することを防止できる。
【産業上の利用可能性】
【００８１】
本発明は、ひげそり、体毛処理機、美顔器、目を温める装置など人体に対し理容・美容効果を与える携帯型理美容装置に利用可能である。
【符号の説明】
【００８２】
１００  携帯型理美容装置
１０１  把持部
１０２  動作部
１０３  操作スイッチ
１０４  センサ電極
１０５  制御装置
１０６  表示装置
１０７  電源
１１１  防水筐体
１１２  第一面
１２１  外刃ユニット
１４１  第一電極
１４２  第二電極
１５１  把持検出部
１５２  変更許可部
１５３  充放電回路
１５４  充放電回数検出回路
１５５  判定回路
１５６  操作判定部
１５７  スイッチ処理部
１５８  処理制御部
１５９  報知部
【図１】
2018138135.tif 000003
【図２】
2018138135.tif 000004
【図３】
2018138135.tif 000005
【図４】
2018138135.tif 000006
【図５】
2018138135.tif 000007
【図６】
2018138135.tif 000008
【図７】
2018138135.tif 000009
【図８】
2018138135.tif 000010
【図９】
2018138135.tif 000011